(57)【要約】【課題】観察者がより広い画角で映像を観察できる導光板を提供すること。【解決手段】導光板２は、第１入射面１１１、第１入射面１１１から入光した第１映像光を導光方向に導く第１導光部及び第１映像光の一部を観察者側に反射、その他を透過させる第１反射部を有する第１導光体１０と、第２入射面２１１、第２入射面２１１から入光した第２映像光を導光方向に導く第２導光部及び第２映像光の一部を観察者側に反射、その他を透過させる第２反射部を有する第２導光体２０と、を備え、前記第１反射部は、第１映像光の一部を観察者側の第１表示領域に向けて反射させる複数の第１反射面を備え、前記第２反射部は、第２映像光の一部を観察者側の第２表示領域に向けて反射させる複数の第２反射面を備え、前記第１反射部で反射される第１映像光と、前記第２反射部で反射される第２映像光は、前記第１表示領域と前記第２表示領域の境界付近でそれぞれ一部が重なり合う。【選択図】図１
2018163252.tif 000002
【特許請求の範囲】
【請求項１】
第１映像光が入光する第１入射面、前記第１入射面から入光した第１映像光を導光方向に導く第１導光部及び第１映像光の一部を観察者側に反射させ、その他を透過させる第１反射部を有する第１導光体と、
第１映像光とは異なる第２映像光が入光する第２入射面、前記第２入射面から入光した第２映像光を導光方向に導く第２導光部及び第２映像光の一部を観察者側に反射させ、その他を透過させる第２反射部を有する第２導光体と、を備え、
前記第１反射部は、第１映像光の一部を観察者側の第１表示領域に向けて反射させる複数の第１反射面を備え、
前記第２反射部は、第２映像光の一部を観察者側の前記第１表示領域とは異なる第２表示領域に向けて反射させる複数の第２反射面を備え、
前記第１反射部で反射される第１映像光と、前記第２反射部で反射される第２映像光は、前記第１表示領域と前記第２表示領域の境界付近でそれぞれ一部が重なり合う、
導光板。
【請求項２】
請求項１に記載の導光板であって、
前記第１導光体は、前記第２導光体よりも背面側に配置され、
前記第２導光体は、観察者側に配置され、
前記第１導光体の複数の前記第１反射面は、第１映像光の出光面の垂線方向に対して角度θ１で傾斜し、
前記第２導光体の複数の前記第２反射面は、第２映像光の出光面の垂線方向に対して前記角度θ１よりも小さな角度θ２で傾斜すること、
を特徴とする導光板。
【請求項３】
請求項１に記載の導光板であって、
前記第１導光体は、前記第２導光体よりも背面側に配置され、
前記第２導光体は、観察者側に配置され、
前記第１導光体の複数の前記第１反射面は、第１映像光の出光面の垂線方向に対して角度θ１で傾斜し、
前記第２導光体の複数の前記第２反射面は、第２映像光の出光面の垂線方向に対して前記角度θ１よりも大きな角度θ２で傾斜すること、
を特徴とする導光板。
【請求項４】
請求項１から請求項３までのいずれか１項に記載の導光板であって、
前記第１導光体において、
前記第１導光部は、第１映像光を導光方向に全反射する第１全反射面と、前記第１全反射面と対向する位置に設けられ、第１映像光を導光方向に全反射する第２全反射面と、を備え、
前記第１入射面は、入光した第１映像光を、前記第１全反射面の垂線に対して臨界角以上の角度で前記第１全反射面に入射させるように前記第１全反射面に対して傾斜して設けられ、前記第１入射面の一部は、前記第２全反射面よりも外側に位置しており、
前記第２導光体において、
前記第２導光部は、第２映像光を導光方向に全反射する第３全反射面と、前記第３全反射面と対向する位置に設けられ、第２映像光を導光方向に全反射する第４全反射面と、を備え、
前記第２入射面は、入光した第２映像光を、前記第３全反射面の垂線に対して臨界角以上の角度で前記第３全反射面に入射させるように前記第３全反射面に対して傾斜して設けられ、前記第２入射面の一部は、前記第４全反射面よりも外側に位置していること、
を特徴とする導光板。
【請求項５】
請求項１から請求項４までのいずれか１項に記載の導光板と、
前記導光板の前記第１導光体に第１映像光を投射する第１映像源と、
前記導光板の前記第２導光体に第２映像光を投射する第２映像源と、
を備える表示装置。
【発明の詳細な説明】
【技術分野】
【０００１】
本発明は、導光板及びこれを備えた表示装置に関する。
【背景技術】
【０００２】
従来、ＬＣＤ（Ｌｉｑｕｉｄ  Ｃｒｙｓｔａｌ  Ｄｉｓｐｌａｙ）等の映像源で表示された映像光を、光学系を介して観察者に観察させる頭部装着型の表示装置が提案されている（例えば、特許文献１参照）。
【０００３】
この頭部装着型の表示装置は、映像源で表示された映像光を、導光板によって観察者の眼に対応する位置まで導光して、観察者側へ反射させている。これにより、観察者は、導光板の端部（眼に対応する位置）において、映像光により形成された映像を観察することができる。
上述した頭部装着型の表示装置においては、観察者がより広い画角で映像を観察できるようにすることが求められている。
【先行技術文献】
【特許文献】
【０００４】
【特許文献１】特表２０１１−５０９４１７号公報
【発明の概要】
【発明が解決しようとする課題】
【０００５】
本発明の課題は、観察者がより広い画角で映像を観察できる導光板及び表示装置を提供することである。
【課題を解決するための手段】
【０００６】
本発明は、以下のような解決手段により前記課題を解決する。なお、理解を容易にするために、本発明の実施形態に対応する符号を付して説明するが、これに限定されない。
第１の発明は、第１映像光が入光する第１入射面（１１１）、前記第１入射面から入光した第１映像光を導光方向に導く第１導光部（１１，１２）及び第１映像光の一部を観察者側に反射させ、その他を透過させる第１反射部を有する第１導光体（１０）と、第１映像光とは異なる第２映像光が入光する第２入射面（２１１）、前記第２入射面から入光した第２映像光を導光方向に導く第２導光部（２１，２２）及び第２映像光の一部を観察者側に反射させ、その他を透過させる第２反射部を有する第２導光体（２０）と、を備え、前記第１反射部は、第１映像光の一部を観察者側の第１表示領域に向けて反射させる複数の第１反射面（３２）を備え、前記第２反射部は、第２映像光の一部を観察者側の前記第１表示領域とは異なる第２表示領域に向けて反射させる複数の第２反射面（４２）を備え、前記第１反射部で反射される第１映像光と、前記第２反射部で反射される第２映像光は、前記第１表示領域と前記第２表示領域の境界付近でそれぞれ一部が重なり合う導光板（２）である。
第２の発明は、第１の発明の導光板であって、前記第１導光体（１０）は、前記第２導光体（２０）よりも背面側に配置され、前記第２導光体は、観察者側に配置され、前記第１導光体の複数の前記第１反射面（３２）は、第１映像光の出光面の垂線方向に対して角度θ１で傾斜し、前記第２導光体の複数の前記第２反射面（４２）は、第２映像光の出光面の垂線方向に対して前記角度θ１よりも小さな角度θ２で傾斜すること、を特徴とする導光板（２）である。
第３の発明は、第１の発明の導光板であって、前記第１導光体（１０）は、前記第２導光体（２０）よりも背面側に配置され、前記第２導光体は、観察者側に配置され、前記第１導光体の複数の前記第１反射面（３２）は、第１映像光の出光面の垂線方向に対して角度θ１で傾斜し、前記第２導光体の複数の前記第２反射面（４２）は、第２映像光の出光面の垂線方向に対して前記角度θ１よりも大きな角度θ２で傾斜すること、を特徴とする導光板（２）である。
第４の発明は、第１から第３までのいずれかの発明の導光板であって、前記第１導光体（１０）において、前記第１導光部（１１，１２）は、第１映像光を導光方向に全反射する第１全反射面（１１２）と、前記第１全反射面と対向する位置に設けられ、第１映像光を導光方向に全反射する第２全反射面（１１３）と、を備え、前記第１入射面（１１１）は、入光した第１映像光を、前記第１全反射面の垂線に対して臨界角以上の角度で前記第１全反射面に入射させるように前記第１全反射面に対して傾斜して設けられ、前記第１入射面の一部（１１１ｂ）は、前記第２全反射面よりも外側に位置しており、前記第２導光体（２０）において、前記第２導光部（２１，２２）は、第２映像光を導光方向に全反射する第３全反射面（２１２）と、前記第３全反射面と対向する位置に設けられ、第２映像光を導光方向に全反射する第４全反射面（２１３）と、を備え、前記第２入射面（２１１）は、入光した第２映像光を、前記第３全反射面の垂線に対して臨界角以上の角度で前記第３全反射面に入射させるように前記第３全反射面に対して傾斜して設けられ、前記第２入射面の一部（２１１ｂ）は、前記第４全反射面よりも外側に位置していること、を特徴とする導光板（２）である。
第５の発明は、第１から第４までのいずれかの発明の導光板（２）と、前記導光板の前記第１導光体（１０）に第１映像光を投射する第１映像源（３）と、前記導光板の前記第２導光体（２０）に第２映像光を投射する第２映像源（４）と、を備える表示装置（１）である。
【発明の効果】
【０００７】
本発明によれば、観察者がより広い画角で映像を観察できる導光板及び表示装置を提供することができる。
【図面の簡単な説明】
【０００８】
【図１】実施形態の頭部装着型の表示装置１を説明する図である。
【図２】第１導光体１０の層構成を説明する図である。
【図３】第２導光体２０の層構成を説明する図である。
【図４】実施形態の第１導光体１０の製造方法を説明する図である。
【図５】実施形態の第１導光体１０の製造方法を説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするため、適宜に誇張している。
本明細書中に記載する各部材の寸法等の数値及び材料名等は、実施形態としての一例であり、これに限定されるものではなく、適宜に選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１０】
図１は、本実施形態の頭部装着型の表示装置１を説明する図である。図１は、使用状態の表示装置１を鉛直方向の上方から見た図である。
なお、以下の説明においては、理解を容易にするために、観察者が頭部に表示装置１を装着した状態における鉛直方向をＺ方向とし、水平方向をＸ方向及びＹ方向とする。この水平方向のうち、導光板２に入光した映像光の導光方向（導光板２の左右方向）をＸ方向とし、それに直交する方向（導光板２の厚み方向）をＹ方向とする。Ｘ方向のうち、−Ｘ側を左側とし、＋Ｘ側を右側とする。また、Ｙ方向のうち、−Ｙ側を観察者側とし、＋Ｙ側を背面側とする。
【００１１】
表示装置１は、観察者が頭部に装着し、観察者の眼前（例えば、左目の前）に映像を表示する、いわゆるヘッドマウントディスプレイである。本実施形態の表示装置１は、例えば、メガネフレーム（不図示）の内側に配置される。
表示装置１は、導光板２と、第１映像源３と、第２映像源４と、を備える。表示装置１は、観察者がメガネフレームを頭部に装着することによって、第１映像源３及び第２映像源４に表示された映像を、導光板２を介して観察者に視認させることができる。
【００１２】
具体的には、表示装置１は、第１映像源３で形成された第１映像光Ｌ１０と、第２映像源４で形成された第２映像光Ｌ２０とを導光板２へ入光させ、導光板２内において＋Ｘ方向へ導光する。そして、表示装置１は、第１映像光Ｌ１０及び第２映像光Ｌ２０を、導光方向と直交する−Ｙ方向に反射させて、観察者の眼Ｅのほぼ正面に表示する。
【００１３】
導光板２には、＋Ｘ側の端部に映像の表示領域が設けられている。この表示領域は、観察者が頭部に表示装置１を装着したときに、観察者の眼Ｅのほぼ正面に位置する領域である。図１に示すように、導光板２を構成する第１導光体１０及び第２導光体２０（後述）のうち、第１導光体１０は、導光板２の表示領域において、主に右側（＋Ｘ側）半分の領域となる第１表示領域Ａ１に映像を表示する。第２導光体２０は、導光板２の表示領域において、主に左側（−Ｘ側）半分の領域となる第２表示領域Ａ２に映像を表示する。
また、表示装置１は、導光板２に入光した外界から光の一部を観察者側に透過させて、映像と外界の光とを重ねて見せる、いわゆるシースルー機能を備えている。
【００１４】
導光板２は、第１導光体１０と、第２導光体２０と、を備える。第１導光体１０及び第２導光体２０は、光を導光する略平板状の透明な光学部材である。第１導光体１０は、第２導光体２０よりも背面側（＋Ｙ側）に配置される。第２導光体２０は、第１導光体１０よりも観察者側に（−Ｙ側）に配置される。なお、第１導光体１０及び第２導光体２０は、光透過性を有していれば、透明に限らず、例えば、着色されていてもよい。
【００１５】
第１導光体１０と第２導光体２０は、それぞれ対向する面（後述する第１全反射面１１２と第３全反射面２１２）同士が平行で且つ所定の隙間（空気層）が形成されるように筐体（不図示）に保持されている。隙間の間隔は、例えば、１ｍｍ程度である。なお、導光板２は、第１導光体１０と第２導光体２０との間に、屈折率の小さなシート材を配置した構成としてもよい。
【００１６】
まず、第１導光体１０について説明する。
図１に示すように、第１導光体１０は、第１導光層１１と、第２導光層１２と、を備える。第１導光層１１は、第１入射面１１１及び第１全反射面１１２が形成された層である。第２導光層１２は、第２全反射面１１３（及び後述する光学形状層等）が形成された層である。第１導光層１１及び第２導光層１２は、第１導光体１０において、第１入射面１１１から入光した第１映像光Ｌ１０を導光方向（Ｘ方向）に導く第１導光部として機能する。
【００１７】
第１入射面１１１は、入光した第１映像光Ｌ１０を第１全反射面１１２側に入射させる面である。第１入射面１１１は、第１導光体１０の−Ｘ側の端部において、第１全反射面１１２に対して所定の角度で傾斜している。
第１入射面１１１は、入光した第１映像光Ｌ１０を第１全反射面１１２において全反射させるために、第１全反射面１１２に対して、例えば２５〜３０°の範囲で傾斜している。即ち、第１入射面１１１は、入光した第１映像光Ｌ１０が、第１全反射面１１２において全反射する角度となるように、２５°〜３０°の範囲で形成されている。
【００１８】
第１入射面１１１は、入射領域１１１ａ，１１１ｂを備える。
入射領域１１１ａは、第１導光体１０において、第１全反射面１１２の−Ｘ側の端部と第２全反射面１１３の−Ｘ側の端部との間に設けられている。入射領域１１１ａは、入光した第１映像光Ｌ１０を、第１全反射面１１２の垂線（不図示）に対して臨界角以上の角度で入射させる面である。ここで、第１全反射面１１２の垂線に対して臨界角以上の角度とは、第１全反射面１１２に入射した第１映像光Ｌ１０が導光方向（＋Ｘ方向）に全反射する角度である。
【００１９】
入射領域１１１ｂは、第２全反射面１１３（第２導光層１２）よりも外側に位置している。具体的には、入射領域１１１ｂは、第２全反射面１１３から背面側（＋Ｙ側）に突出して設けられている。入射領域１１１ｂは、入光した第１映像光Ｌ１０の一部を、第１全反射面１１２の垂線（不図示）に対して臨界角以上の角度で入射させる面である。即ち、入射領域１１１ａが、入光した映像光Ｌのすべてを第１全反射面１１２に入射させるのに対して、入射領域１１１ｂは、入光した第１映像光Ｌ１０の一部を第１全反射面１１２に入射させる。
第１導光体１０において、入射領域１１１ａ及び入射領域１１１ｂは、基材部１２５（後述）の−Ｘ側の端部において一体に形成され、第１全反射面１１２に対して同一の角度で傾斜している。
【００２０】
第１全反射面１１２は、第１導光体１０を形成する面のうちＸＺ平面に平行であって、観察者側（−Ｙ側）に位置する面である。第１全反射面１１２は、第１入射面１１１から入光した第１映像光Ｌ１０を第２全反射面１１３側に向けて全反射させる。また、第１全反射面１１２において、＋Ｘ側の端部は、単位光学形状部３０及び出光側単位光学形状部３１（いずれも後述）において反射した第１映像光Ｌ１０を第２導光体２０側へ出光する出光面となる。
【００２１】
第２全反射面１１３は、第１導光体１０を形成する面のうち、ＸＺ平面に平行であって、背面側（＋Ｙ側）に位置する面である。第２全反射面１１３と第１全反射面１１２は、第１導光体１０の厚み方向（Ｙ方向）において平行に形成されている。第２全反射面１１３は、第１全反射面１１２で全反射した映像光Ｌを、第１全反射面１１２側に向けて全反射させる。
【００２２】
上記構成において、第１導光体１０の第１入射面１１１から入光した第１映像光Ｌ１０は、第１全反射面１１２で全反射する角度となるように導光される。第１全反射面１１２及び第２全反射面１１３は、第１導光体１０の厚み方向（Ｙ方向）において平行であるため、第１映像光Ｌ１０は、第１全反射面１１２及び第２全反射面１１３の間で全反射を繰り返しながら、第１導光体１０内の＋Ｘ方向（導光方向）に導光される。第１導光体１０に入射した第１映像光Ｌ１０の光路については、後述する。
【００２３】
次に、第２導光体２０について説明する。
第２導光体２０は、第１導光層２１と、第２導光層２２と、を備える。第１導光層２１は、第２入射面２１１及び第３全反射面２１２が形成された層である。第２導光層２２は、第４全反射面２１３（及び後述する光学形状層等）が形成された層である。第１導光層２１及び第２導光層２２は、第２導光体２０において、第２入射面２１１から入光した第２映像光Ｌ２０を導光方向（Ｘ方向）に導く第２導光部として機能する。
第２入射面２１１は、第２映像光Ｌ２０を第３全反射面２１２側に入射させる面である。第２入射面２１１は、第２導光体２０の−Ｘ側の端部において、第３全反射面２１２に対して所定の角度で傾斜している。
【００２４】
第２入射面２１１は、入射領域２１１ａ，２１１ｂを備える。
入射領域２１１ａは、第２導光体２０において、第３全反射面２１２の−Ｘ側の端部と第４全反射面２１３の−Ｘ側の端部との間に設けられている。入射領域２１１ａは、入光した第２映像光Ｌ２０を、第３全反射面２１２の垂線（不図示）に対して臨界角以上の角度で入射させる面である。ここで、第３全反射面２１２の垂線に対して臨界角以上の角度とは、第３全反射面２１２に入射した第２映像光Ｌ２０が導光方向（＋Ｘ方向）に全反射する角度である。
【００２５】
入射領域２１１ｂは、第４全反射面２１３（第２導光層２２）よりも外側に位置している。具体的には、入射領域２１１ｂは、第４全反射面２１３から観察者側（−Ｙ側）に突出して設けられている。入射領域２１１ｂは、入光した第２映像光Ｌ２０の一部を、第３全反射面２１２の垂線（不図示）に対して臨界角以上の角度で入射させる面である。即ち、入射領域２１１ａが、入光した第２映像光Ｌ２０のすべてを第３全反射面２１２に入射させるのに対して、入射領域２１１ｂは、入光した第２映像光Ｌ２０の一部を第３全反射面２１２に入射させる。
【００２６】
第２導光体２０において、入射領域２１１ａ及び入射領域２１１ｂは、基材部２２５（後述）の−Ｘ側の端部において一体に形成され、第３全反射面２１２に対して同一の角度で傾斜している。
第３全反射面２１２は、第２導光体２０を形成する面のうちＸＺ平面に平行であって、背面側（＋Ｙ側）に位置する面である。第３全反射面２１２は、第２入射面２１１から入光した第２映像光Ｌ２０を第４全反射面２１３側に向けて全反射させる。
【００２７】
第４全反射面２１３は、第２導光体２０を形成する面のうち、ＸＺ平面に平行であって、観察者側（−Ｙ側）に位置する面である。第４全反射面２１３と第３全反射面２１２は、第２導光体２０の厚み方向（Ｙ方向）において平行に形成されている。第４全反射面２１３は、第３全反射面２１２で全反射した第２映像光Ｌ２０を、第３全反射面２１２側に向けて全反射させる。また、第４全反射面２１３において、＋Ｘ側の端部は、単位光学形状部４０及び出光側単位光学形状部４１（後述）において反射した第２映像光Ｌ２０を観察者側（−Ｙ側）へ出光する出光面となる。
【００２８】
上記構成において、第２導光体２０の第２入射面２１１から入光した第２映像光Ｌ２０は、第３全反射面２１２で全反射する角度となるように導光される。第３全反射面２１２及び第４全反射面２１３は、第２導光体２０の厚み方向（Ｙ方向）において平行であるため、第２映像光Ｌ２０は、第３全反射面２１２及び第４全反射面２１３の間で全反射を繰り返しながら、第２導光体２０内の＋Ｘ方向（導光方向）に導光される。第２導光体２０に入射した第２映像光Ｌ２０の光路については、後述する。
【００２９】
次に、第１映像源３及び第２映像源４について説明する。
第１映像源３は、第１導光体１０に第１映像光Ｌ１０を投射する映像源である。第１映像光Ｌ１０は、導光板２の＋Ｘ側の端部に設けられた表示領域のうち、主に右側（＋Ｘ側）半分の領域となる第１表示領域Ａ１に表示される映像である。
【００３０】
第１映像源３は、ディスプレイ及び投射光学系（いずれも不図示）を備える。
ディスプレイは、映像光を表示するマイクロディスプレイであり、例えば、透過型の液晶表示デバイス、反射型の液晶表示デバイス、有機ＥＬ等が使用される。ディスプレイとして、例えば、対角が１インチ以下のマイクロディスプレイが使用される。
投射光学系は、映像源から出射された第１映像光Ｌ１０を第１導光体１０に向けて投射する複数のレンズ群から構成される光学系である。
【００３１】
第２映像源４は、第２導光体２０に第２映像光Ｌ２０を投射する映像源である。第２映像光Ｌ２０は、導光板２の＋Ｘ側の端部に設けられた表示領域のうち、主に左側（−Ｘ側）半分の領域となる第２表示領域Ａ２に表示される映像である。
導光板２の＋Ｘ側の端部に設けられた表示領域（第１表示領域Ａ１及び第２表示領域Ａ２）に、第１映像光Ｌ１０と第２映像光Ｌ２０とを同時に表示することにより、観察者は、表示領域において２つの映像光を１つの映像として観察することができる。
なお、第２映像源４を構成するディスプレイ及び投射光学系は、第１映像源３のディスプレイ及び投射光学系と実質的に同じであるため、説明を省略する。
【００３２】
次に、第１導光体１０及び第２導光体２０の層構成について説明する。
まず、第１導光体１０の層構成について説明する。
図２は、第１導光体１０の層構成を説明する図である。図２は、第１導光体１０の＋Ｘ側の端部の詳細を示している。
図２に示すように、第１導光体１０は、観察者側（−Ｙ側）から順に、基材部１２５、接合層１２４、第２光学形状層１２３、第１光学形状層１２２及び基材部１２１が積層されている。
【００３３】
基材部１２１及び基材部１２５は、第１導光体１０の基礎となる平板状の部材である。基材部１２１及び基材部１２５は、例えば、光透過性の高いアクリル樹脂、スチレン樹脂、アクリルスチレン樹脂、ポリカーボネート樹脂、脂環式ポリオレフィン樹脂等から形成される。
【００３４】
基材部１２１は、第１導光体１０において、最も背面側（＋Ｙ側）に設けられる層である。基材部１２１は、その背面側の面が第２全反射面１１３となる。基材部１２１の背面側の面は、入射する光の拡散を抑制する観点から平滑（例えば、６０度の光沢度で９０以上）に形成されるのが望ましい。
【００３５】
基材部１２５は、第１導光体１０において、最も観察者側（−Ｙ側）に設けられる層である。基材部１２５は、その観察者側の面が、第１全反射面１１２となる。基材部１２５は、第２光学形状層１２３の観察者側の面に接合層１２４を介して接合される。基材部１２５は、第１導光体１０の全体の厚みを調整すると共に、第１導光体１０に所定の剛性を持たせる基材である。また、基材部１２５の−Ｘ側の端部には、第１入射面１１１（図１参照）が設けられる。
基材部１２５の観察者側の面は、光の拡散を抑制する観点から平滑（例えば、６０度の光沢度で９０以上）に形成されるのが望ましい。
【００３６】
第１光学形状層１２２は、基材部１２１の観察者側（−Ｙ側）の面に設けられる層である。第１光学形状層１２２としては、光透過性の高いウレタンアクリレート系、ポリエステルアクリレート系、エポキシアクリレート系、ポリエーテルアクリレート系、ポリチオール系、ブタジエンアクリレート系等の紫外線硬化樹脂が用いられる。第１光学形状層１２２の屈折率は、上述の基材部１２１、基材部１２５と同等の屈折率であることが望ましい。
なお、本実施形態では、第１導光体１０及び第２導光体２０（後述）を形成する樹脂として、紫外線硬化樹脂を例に挙げて説明するが、これに限定されない。第１導光体１０及び第２導光体２０を形成する樹脂は、例えば、電子線硬化樹脂であってもよい。
【００３７】
第１光学形状層１２２は、図２に示すように、その観察者側（−Ｙ側）の面であって、＋Ｘ側の端部近傍に、単位光学形状部３０が複数設けられている。
単位光学形状部３０は、鉛直方向（Ｚ方向）に延在し、第１映像光Ｌ１０の導光方向（Ｘ方向）に沿って複数配列されている。また、単位光学形状部３０は、第１映像光Ｌ１０が出光する方向（第１導光体１０の厚み方向、Ｙ方向）に平行、且つ、単位光学形状部３０の配列方向（Ｘ方向）に平行な断面（ＸＹ面）における形状が三角形状（プリズム形状）に形成されている。
【００３８】
単位光学形状部３０は、第１傾斜面３０ａと、第２傾斜面３０ｂと、から構成される。
第１傾斜面３０ａは、第１全反射面１１２で全反射した第１映像光Ｌ１０が直接入射する面である。第１傾斜面３０ａは、出光面（第１全反射面１１２、第２光学形状層１２３の観察者側の面）に対して傾斜しており、その＋Ｘ側の端部が、−Ｘ側の端部よりも観察者（出光）側（−Ｙ側）に位置している。
第１傾斜面３０ａ上の全面、即ち、第１傾斜面３０ａ及び第３傾斜面３１ａ（後述）間の全体には、反射層３２が設けられている。各単位光学形状部３０に設けられる反射層３２は、第１導光体１０において、第１反射部（複数の第１反射面）として機能する。
【００３９】
第２傾斜面３０ｂは、第１全反射面１１２で全反射した第１映像光Ｌ１０が直接入射しない面である。第２傾斜面３０ｂは、第１傾斜面３０ａよりも映像光Ｌの進行する側（＋Ｘ側）に、第１傾斜面３０ａと対向して設けられている。第２傾斜面３０ｂは、出光面（第２全反射面１１３、第２光学形状層１２３の観察者側の面）に対して傾斜しており、その＋Ｘ側の端部が、−Ｘ側の端部よりも背面側（＋Ｙ側）に位置している。
【００４０】
第２光学形状層１２３は、第１光学形状層１２２の観察者側（−Ｙ側）に設けられる層である。第２光学形状層１２３は、第１光学形状層１２２の観察者側の面を平坦にするために設けられている。第２光学形状層１２３としては、先に説明した第１光学形状層１２２と同じ紫外線硬化樹脂が用いられる。第２光学形状層１２３の屈折率は、第１光学形状層１２２と同等であることが望ましい。
【００４１】
第２光学形状層１２３の観察者側の面は、接合層１２４を介して基材部１２５に接合される面である。また、この面は、第２光学形状層１２３から基材部１２５へ通過する光の出光面となる。第２光学形状層１２３の出光面は、第１導光体１０の第１全反射面１１２（出光面、ＸＺ平面）と平行である。
【００４２】
第２光学形状層１２３は、第１光学形状層１２２と対向する面（背面、＋Ｙ側の面）に、単位光学形状部３０と対応する形状の出光側単位光学形状部３１が設けられている。
出光側単位光学形状部３１は、鉛直方向（Ｚ方向）に延在し、第１映像光Ｌ１０の導光方向（Ｘ方向）に沿って複数配列されている。出光側単位光学形状部３１は、第１映像光Ｌ１０が出光する方向（第１導光体１０の厚み方向、Ｙ方向）に平行、且つ、出光側単位光学形状部３１の配列方向（Ｘ方向）に平行な断面（ＸＹ面）における形状が三角形状（プリズム形状）に形成されている。
出光側単位光学形状部３１は、第３傾斜面３１ａと、第４傾斜面３１ｂと、から構成される。本実施形態において、出光側単位光学形状部３１及び単位光学形状部３０は、上記断面において、同様の形状に形成されている。
【００４３】
第３傾斜面３１ａは、第１全反射面１１２で全反射した第１映像光Ｌ１０が直接入射する面である。第３傾斜面３１ａは、出光面（第１全反射面１１２、第２光学形状層１２３の観察者側の面）に対して傾斜しており、その＋Ｘ側の端部が、−Ｘ側の端部よりも観察者（出光）側（−Ｙ側）に位置している。第３傾斜面３１ａは、単位光学形状部３０の第１傾斜面３０ａに対向しており、その第１傾斜面３０ａと平行な面である。上述したように、第３傾斜面３１ａと第１傾斜面３０ａ（単位光学形状部３０）との間には、反射層３２が設けられている。
【００４４】
第４傾斜面３１ｂは、第１全反射面１１２で全反射した第１映像光Ｌ１０が直接入射しない面である。第４傾斜面３１ｂは、第３傾斜面３１ａよりも映像源側（−Ｘ側）に、第３傾斜面と対向して設けられている。第４傾斜面３１ｂは、出光面（第１全反射面１１２、第２光学形状層１２３の観察者側の面）に対して傾斜しており、その＋Ｘ側の端部が、−Ｘ側の端部よりも背面側（＋Ｙ側）に位置している。第４傾斜面３１ｂは、単位光学形状部３０の第２傾斜面３０ｂに対向しており、第２傾斜面３０ｂと平行な面である。第４傾斜面３１ｂは、上述した第２傾斜面３０ｂに密着している。
【００４５】
図２に示すように、第１傾斜面３０ａと第３傾斜面３１ａとの間に設けられる反射層３２は、第１映像光Ｌ１０の出光面の垂線方向（Ｓ）に対して、角度θ１で傾斜している。第１導光体１０において、角度θ１は、第１全反射面１１２と第２全反射面１１３との間で全反射を繰り返しながら＋Ｘ方向（導光方向）に導かれた第１映像光Ｌ１０を、観察者側の第１表示領域Ａ１側に反射させることが可能な範囲に設定される。
【００４６】
観察者側の第１表示領域Ａ１とは、図１に示すように、導光板２の左右方向（Ｘ方向）において、観察者の眼Ｅのほぼ正面から、主に右側（＋Ｘ側）半分の領域である。反射層３２の角度θ１を上記範囲に設定することにより、第１映像光Ｌ１０を、導光板２の＋Ｘ側の端部に設けられた表示領域のうち、第１表示領域Ａ１に表示させることができる。なお、図１では、映像光を示す矢印の線が煩雑にならないように、第２導光体２０を透過する第１映像光Ｌ１０の図示を省略している。
【００４７】
単位光学形状部３０及び出光側単位光学形状部３１の配列ピッチは、Ｐ１である。本実施形態では、配列ピッチＰ１が第１傾斜面３０ａ及び第３傾斜面３１ａの配列方向（Ｘ方向）における幅寸法と同等である例について説明するが、これに限らず、各傾斜面の幅寸法よりも大きくなるようにしてもよい。
【００４８】
接合層１２４は、基材部１２５及び第２光学形状層１２３を接合する粘着剤である。接合層１２４は、基材部１２５及び第２光学形状層１２３間を透過する映像光Ｌが屈折しないような材料であることが好ましい。そのため、上述した層と同等の屈折率を有する材料、例えば、光透過性の高いウレタンアクリレート樹脂、エポキシアクリレート樹脂、アクリル系粘着剤、シリコン系粘着剤等により形成されている。
【００４９】
反射層３２は、入射した光の一部を反射し、その他を透過する半透過型の反射層、いわゆるハーフミラーである。反射層３２の反射率と透過率の割合は、適宜に設定できるが、第１映像光Ｌ１０を良好に反射させると共に、外界の光を良好に透過させる観点から、透過率が４０〜６０％の範囲であることが望ましい。本実施形態の反射層３２は、反射率及び透過率がともに５０％のハーフミラー状に形成されている。
【００５０】
反射層３２は、第１傾斜面３０ａの面上、即ち、第１傾斜面３０ａと第３傾斜面３１ａとの間に光反射性の高い金属、例えば、アルミニウム、銀、ニッケル等により形成されている。本実施形態において、反射層３２は、アルミニウムを蒸着することにより形成されている。
【００５１】
また、これに限らず反射層３２は、光反射性の高い金属をスパッタリングしたり、金属箔を転写したり、金属薄膜を含有した塗料を塗布したりする等により形成されてもよい。反射層３２として、酸化チタン、酸化シリコン、ニオブ、タンタル、フッ化マグネシウム等を複数積層した誘電体多層膜を形成してもよい。誘電体多層膜は、屈折率の高い誘電体膜と屈折率の低い誘電体膜とを交互に積層した膜である。
本実施形態の反射層３２は、アルミニウムの蒸着によって約１００Åの厚みに形成されているが、光の反射率及び透過率を上述の好ましい範囲に設定できれば、その材料等に応じて厚さを自由に設定できる。
【００５２】
次に、第２導光体２０の層構成について説明する。
図３は、第２導光体２０の層構成を説明する図である。図３は、第２導光体２０の＋Ｘ側の端部の詳細を示している。
第２導光体２０の層構成は、第１導光体１０の層構成と実質的に同じである。そのため、第２導光体２０については、主に第１導光体１０と相違する構成についてのみ説明し、共通の構成については、第１導光体１０の説明を援用して、重複する説明を適宜に省略する。なお、第２導光体２０において、第１導光体１０と同じ構成要素には、同じ名称を付している。
【００５３】
図３に示すように、第２導光体２０は、背面側（＋Ｙ側）から順に、基材部２２５、接合層２２４、第１光学形状層２２２、第２光学形状層２２３及び基材部２２１が積層されている。上記の各部は、第１導光体１０の基材部１２５、接合層１２４、第１光学形状層１２２、第２光学形状層１２３及び基材部１２１（図２参照）にそれぞれ対応する。
【００５４】
基材部２２１は、第２導光体２０において、最も観察者側（−Ｙ側）に設けられる層である。基材部２２１は、観察者側の面が第４全反射面２１３となる。
基材部２２５は、第２導光体２０において、最も背面側（＋Ｙ側）に設けられる層である。基材部２２５は、背面側の面が第３全反射面２１２となる。また、基材部２２５の−Ｘ側の端部には、第２入射面２１１（図１参照）が設けられる。
【００５５】
第１光学形状層２２２は、第２導光層２２において、背面側（＋Ｙ側）に設けられる層である。第１光学形状層２２２は、図３に示すように、観察者側（−Ｙ側）の面であって、＋Ｘ側の端部近傍に、単位光学形状部４０が複数設けられている。
単位光学形状部４０は、鉛直方向（Ｚ方向）に延在し、第２映像光Ｌ２０の導光方向（Ｘ方向）に沿って複数配列されている。また、単位光学形状部４０は、第２映像光Ｌ２０が出光する方向（第２導光体２０の厚み方向、Ｙ方向）に平行、且つ、単位光学形状部４０の配列方向（Ｘ方向）に平行な断面（ＸＹ面）における形状が三角形状（プリズム形状）に形成されている。
【００５６】
単位光学形状部４０は、第１傾斜面４０ａと、第２傾斜面４０ｂと、から構成される。第１傾斜面４０ａ及び第２傾斜面４０ｂは、単位光学形状部３０（第１導光体１０）の第１傾斜面３０ａ及び第２傾斜面３０ｂに対応する。
第１傾斜面４０ａ上の全面、即ち、第１傾斜面４０ａと第３傾斜面４１ａ（後述）との間の全体には、反射層４２が設けられている。各単位光学形状部４０に設けられる反射層４２は、第２導光体２０において、第２反射部（複数の第２反射面）として機能する。
【００５７】
第２光学形状層２２３は、第１光学形状層２２２の観察者側（−Ｙ側）に設けられる層である。第２光学形状層２２３の観察者側の面は、光の出光面となる。第２光学形状層２２３の出光面は、第２導光体２０の第４全反射面２１３（出光面、ＸＺ平面）と平行である。
【００５８】
第２光学形状層２２３は、第１光学形状層２２２と対向する面（観察者側、−Ｙ側の面）に、単位光学形状部４０と対応する形状の出光側単位光学形状部４１が設けられている。
出光側単位光学形状部４１は、鉛直方向（Ｚ方向）に延在し、第２映像光Ｌ２０の導光方向（Ｘ方向）に沿って複数配列されている。出光側単位光学形状部４１は、第２映像光Ｌ２０が出光する方向（第２導光体２０の厚み方向、Ｙ方向）に平行、且つ、出光側単位光学形状部４１の配列方向（Ｘ方向）に平行な断面（ＸＹ面）における形状が三角形状（プリズム形状）に形成されている。
【００５９】
出光側単位光学形状部４１は、第３傾斜面４１ａと、第４傾斜面４１ｂと、から構成される。第３傾斜面４１ａ及び第４傾斜面４１ｂは、出光側単位光学形状部３１（第１導光体１０）の第３傾斜面３１ａ及び第４傾斜面３１ｂに対応する。第３傾斜面４１ａと第１傾斜面４０ａ（単位光学形状部４０）との間には、反射層４２が設けられている。
【００６０】
図３に示すように、第１傾斜面４０ａと第３傾斜面４１ａとの間に設けられる反射層４２は、第２映像光Ｌ２０の出光面の垂線方向（Ｓ）に対して、角度θ２で傾斜している。第２導光体２０において、角度θ２は、第３全反射面２１２と第４全反射面２１３との間で全反射を繰り返しながら＋Ｘ方向（導光方向）に導かれた第２映像光Ｌ２０を、観察者側の第２表示領域Ａ２側に反射させることが可能な範囲に設定される。具体的には、反射層４２の角度θ２は、反射層３２（第１導光体１０）の角度θ１よりも小さな角度となるように設定される。観察者側の第２表示領域Ａ２とは、図１に示すように、導光板２の左右方向（Ｘ方向）において、観察者の眼Ｅのほぼ正面から、主に左側（−Ｘ側）半分の領域である。反射層４２の角度θ２を上記範囲に設定することにより、第２映像光Ｌ２０を、導光板２の＋Ｘ側の端部に設けられた表示領域のうち、第２表示領域Ａ２に表示させることができる。
【００６１】
単位光学形状部４０及び出光側単位光学形状部４１の配列ピッチは、Ｐ２である。本実施形態において、配列ピッチＰ２は、第１導光体１０における単位光学形状部３０及び出光側単位光学形状部３１の配列ピッチＰ１（図２参照）と一致している。なお、第２導光体２０における単位光学形状部４０及び出光側単位光学形状部４１の配列ピッチＰ２は、第１導光体１０における単位光学形状部３０及び出光側単位光学形状部３１の配列ピッチＰ１と必ずしも一致していなくてもよい。
また、本実施形態では、配列ピッチＰ２が第１傾斜面４０ａ及び第３傾斜面４１ａの配列方向（Ｘ方向）における幅寸法と同等である例について説明するが、これに限らず、各傾斜面の幅寸法よりも大きくなるようにしてもよい。
【００６２】
反射層４２は、入射した光の一部を反射し、その他を透過する半透過型の反射層、いわゆるハーフミラーである。反射層４２の反射率と透過率の割合は、適宜に設定できるが、第２映像光Ｌ２０を良好に反射させると共に、外界の光を良好に透過させる観点から、透過率が４０〜６０％の範囲であることが望ましい。本実施形態の反射層４２は、反射率及び透過率がともに５０％のハーフミラー状に形成されている。
【００６３】
次に、本実施形態の導光板２から出光する第１映像光Ｌ１０、第２映像光Ｌ２０及び外光Ｇの光路について説明する。
図１に示すように、第１映像源３から投射された第１映像光Ｌ１０は、第１導光体１０（導光板２）の第１入射面１１１へ入光する。第１導光体１０に入光した第１映像光Ｌ１０は、第１全反射面１１２へ入射する。その第１映像光Ｌ１０は、第１全反射面１１２において第２全反射面１１３側へ全反射した後、第２全反射面１１３に入射して単位光学形状部３０側へ全反射する。このように、第１映像光Ｌ１０は、第１全反射面１１２及び第２全反射面１１３間において全反射を繰り返すことにより、第１導光体１０の−Ｘ側から＋Ｘ側に向けて導光され、第１光学形状層１２２と第２光学形状層１２３との間に設けられた反射層３２に入射する。
【００６４】
反射層３２に入射した第１映像光Ｌ１０のうち、一部の第１映像光Ｌ１０は、図２に示すように、反射層３２において第２全反射面１１３に対してほぼ直交する方向（−Ｙ方向）に反射して、第１全反射面１１２から出光する。この一部の第１映像光Ｌ１０は、観察者側に配置された第２導光体２０を透過し、観察者の眼Ｅに向けて進行する。第２導光体２０を透過した第１映像光Ｌ１０は、図１に示すように、観察者の眼Ｅの正面から主に右側（＋Ｘ側）の領域である第１表示領域Ａ１に出射される。このとき、第１映像光Ｌ１０は、第１表示領域Ａ１だけでなく、左側（−Ｘ側）の第２表示領域Ａ２にも一部が出射される。
また、他の第１映像光Ｌ１０は、反射層３２を透過して第１光学形状層１２２内に入射するが、そのほとんどが第１導光体１０の背面側から出光する。
【００６５】
一方、図１に示すように、第２映像源４から投射された第２映像光Ｌ２０は、第２導光体２０（導光板２）の第２入射面２１１へ入光する。第２導光体２０に入光した第２映像光Ｌ２０は、第３全反射面２１２へ入射する。その第２映像光Ｌ２０は、第３全反射面２１２において第４全反射面２１３側へ全反射した後、第３全反射面２１２に入射して単位光学形状部４０側へ全反射する。このように、第２映像光Ｌ２０は、第３全反射面２１２及び第４全反射面２１３間において全反射を繰り返すことにより、第２導光体２０の−Ｘ側から＋Ｘ側に向けて導光され、第１光学形状層２２２と第２光学形状層２２３との間に設けられた反射層４２に入射する。
【００６６】
反射層４２に入射した第２映像光Ｌ２０のうち、一部の第２映像光Ｌ２０は、図３に示すように、反射層４２において第３全反射面２１２に対してほぼ直交する方向（−Ｙ方向）に反射して、第４全反射面２１３から出射する。この一部の第２映像光Ｌ２０は、図１に示すように、観察者の眼Ｅの正面から主に左側（−Ｘ側）の領域である第２表示領域Ａ２に出射される。このとき、第２映像光Ｌ２０は、第２表示領域Ａ２だけでなく、右側（＋Ｘ側）の第１表示領域Ａ１にも一部が出射される。
また、他の第２映像光Ｌ２０は、反射層４２を透過して第１光学形状層２２２内に入射するが、そのほとんどが第２導光体２０の背面側から出光する。
【００６７】
外界の光（以下、「外光」ともいう）Ｇは、第１導光体１０の背面側（＋Ｙ側）の第２全反射面１１３から第１導光体１０内に入光する。第１導光体１０内に入光した外光Ｇのうち一部の光は、反射層３２に入射する。その一部の光は、図１に示すように、反射層３２を透過して、第１全反射面１１２から第２導光体２０に向けて進行し、更に第２導光体２０の反射層４２を透過して、第４全反射面２１３から出射し、観察者の眼Ｅに向けて進行する。また、外光Ｇのうち他の光は、第１導光体１０の反射層３２と第１光学形状層１２２との界面で背面側（＋Ｙ側）に反射する。
【００６８】
次に、本実施形態の導光板２の製造方法について説明する。
ここでは、導光板２を構成する２つの導光体のうち、第１導光体１０の製造方法について説明する。第２導光体２０についても、第１導光体１０と同様の手法により製造することができる。
図４及び図５は、本実施形態の第１導光体１０の製造方法を説明する図である。図４（Ａ）〜（Ｅ）は、基材部１２１と接合された第１光学形状層１２２を製造する過程を説明する図である。図５（Ｆ）〜（Ｈ）は、基材部１２１と接合された第１光学形状層１２２を基にして第１導光体１０を製造する過程を説明する図である。なお、図４及び図５では、部材の断面を示すハッチングを適宜に省略する。
【００６９】
まず、図４（Ａ）に示すように、第１導光体１０の第１光学形状層１２２の形状に対応した賦形面１００ａを有する成形型１００を用意し、賦形面１００ａが上方（重力方向の天側）を向くように配置する。
次に、図４（Ｂ）に示すように、賦形面１００ａ上に紫外線硬化樹脂１２２ａを均一に形成する。ここでは、例えば、紫外線硬化樹脂１２２ａを、賦形面１００ａ上の一辺に沿って点状又は線状に塗布し、ローラ等（不図示）で引き延ばすことにより、賦形面１００ａ上に均一に形成することができる。
【００７０】
次に、図４（Ｃ）に示すように、賦形面１００ａ上に塗布された紫外線硬化樹脂１２２ａの上に、基材部１２１を貼り付ける。
次に、図４（Ｄ）に示すように、紫外線照射部（不図示）から、未硬化の紫外線硬化樹脂１２２ａに対して紫外線ＵＶを照射する。これにより、紫外線硬化樹脂１２２ａが硬化して第１光学形状層１２２となる。
紫外線硬化樹脂１２２ａが硬化した後、図４（Ｅ）に示すように、第１光学形状層１２２を成形型１００から剥離することにより、基材部１２１と接合された第１光学形状層１２２が得られる。
【００７１】
次に、図５（Ｆ）に示すように、単位光学形状部３０の表面に蒸着金属を付着させて、反射層３２を形成する。
図５（Ｆ）では、第１光学形状層１２２のすべての領域に反射層３２が形成されているが、反射層３２は、映像光の出光側となる領域のみに形成され、映像光が導光される領域には形成されない。反射層３２が形成されない領域は、第２光学形状層１２３と直接に接合される。
【００７２】
次に、図５（Ｇ）に示すように、第１光学形状層１２２の単位光学形状部３０が設けられる側の面に、第２光学形状層１２３を形成する。ここでは、例えば、紫外線硬化樹脂を、第１光学形状層１２２の一辺に沿って点状又は線状に塗布し、ローラ等（不図示）で引き延ばすことにより、均一に形成できる。図示を省略するが、この後、第１光学形状層１２２上に形成した紫外線硬化樹脂に対して紫外線を照射することにより、紫外線硬化樹脂が硬化して第２光学形状層１２３が得られる。
【００７３】
次に、図５（Ｈ）に示すように、第２光学形状層１２３側の面に接合層１２４を形成して、基材部１２５を貼り付ける。
そして、接合層１２４を介して基材部１２５が貼付された積層体の−Ｘ側（単位光学形状部３０が形成される側とは反対側）の観察者側（−Ｙ側）の角部を加工して第１入射面１１１（図１参照）を形成する。以上の工程を経ることにより、第１導光体１０が完成する。
【００７４】
上述した本実施形態の導光板２によれば、例えば、以下のような効果を奏する。
本実施形態の導光板２は、観察者の眼Ｅの正面から主に右側の第１表示領域Ａ１に、第１導光体１０から出射された第１映像光Ｌ１０が表示され、観察者の眼Ｅの正面から主に左側の第２表示領域Ａ２に、第２導光体２０から出射された第２映像光Ｌ２０が表示される。そのため、１つの導光体から映像を出射させる場合に比べて、観察者の眼Ｅの正面により広範囲に映像を表示できる。従って、本実施形態の導光板２によれば、観察者は、より広い画角で映像を観察することができる。
【００７５】
また、本実施形態の導光板２によれば、表示対象（文字、図形等）を２つの映像で表示させるため、同じ解像度の映像源であれば、表示対象を１つの映像で表示させる場合に比べて、映像の解像度を約２倍にすることができる。
【００７６】
本実施形態の導光板２において、第１映像光Ｌ１０と第２映像光Ｌ２０は、第１表示領域Ａ１と第２表示領域Ａ２の境界付近において、それぞれ一部が重なり合うように表示される。これによれば、第１表示領域Ａ１と第２表示領域Ａ２との間において、映像が表示されない部分がライン（筋）として観察者に視認されにくくなるため、表示される映像の画質をより向上させることができる。
【００７７】
本実施形態の導光板２において、第１導光体１０の第１入射面１１１は、第２全反射面１１３よりも外側（＋Ｙ側）に位置する入射領域１１１ｂを備える。また、第２導光体２０の第２入射面２１１は、第４全反射面２１３よりも外側（−Ｙ側）に位置する入射領域２１１ｂを備える。そのため、本実施形態の導光板２は、入射領域１１１ｂ，２１１ｂを備えていない導光板と比べて、第１映像光Ｌ１０及び第２映像光Ｌ２０を、より広い範囲で入光させることができる。
【００７８】
本実施形態の導光板２において、入射領域１１１ｂ，２１１ｂは、第２全反射面１１３，第４全反射面２１３よりも、それぞれ外側に位置している。そのため、本実施形態の導光板２は、映像光を入光する範囲が広くなっても、導光板２の左右方向（Ｘ方向）の寸法が長くなることがない。また、入射領域１１１ｂ，２１１ｂは、第２全反射面１１３，第４全反射面２１３から、それぞれ部分的に突出しているため、導光板２の厚みの増加を最小限に抑えることができる。
【００７９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、上述の実施形態及び後述する変形形態は、適宜に組み合わせて用いることもできるが、詳細な説明は省略する。
【００８０】
（変形形態）
実施形態では、第１導光体１０の反射層３２が第１映像光Ｌ１０の出光面（第１全反射面１１２）の垂線方向に対して傾斜する角度をθ１とし、第２導光体２０の反射層４２が第２映像光Ｌ２０の出光面（第４全反射面２１３）の垂線方向に対して傾斜する角度をθ２とした場合に、θ１＞θ２の関係となるように構成した例について説明したが、これに限定されない。第１導光体１０の反射層３２と第２導光体２０の反射層４２がそれぞれ傾斜する角度が、θ１＜θ２の関係となるように構成してもよい。
【００８１】
実施形態では、単位光学形状部３０，４０の厚み方向の断面が三角形状（プリズム形状）に形成される例について説明したが、これに限定されない。単位光学形状部３０，４０の厚み方向の断面は、多角形、半球形、レンズ形等によるプリズム形状であってもよい。また、プリズム形状は、断面が奥行方向に延在していてもよいし、ディンプル形、ピラミッド形（三角錐、四角錐等）であってもよい。
【００８２】
実施形態では、第１導光体１０の反射層３２を、第１傾斜面３０ａ上の全面、即ち第１傾斜面３０ａ及び第３傾斜面３１ａ間の全体に設けた例を示したが、これに限定されない。反射層３２を、第１傾斜面３０ａ上の一部に設けてもよい。例えば、反射層３２は、第１傾斜面３０ａの＋Ｘ側の領域、即ち映像光の反射に寄与する領域にのみ設けてもよい。第２導光体２０の反射層４２についても同様である。
【００８３】
実施形態の導光板２において、第１導光体１０の背面（基材部１２１の背面）及び第２導光体２０の観察者側の面（基材部２２１の観察者側の面）のいずれか又はその両方の面に、傷つき防止を目的としたハードコート処理を施してもよい。このハードコート処理として、例えば、導光板２の背面及び観察者側の面のいずれか又は両方の面に、ハードコート機能を有する紫外線硬化型樹脂（例えば、ウレタンアクリレート）を塗布してハードコート層を形成してもよい。
【符号の説明】
【００８４】
１    表示装置
２    導光板
３    第１映像源
４    第２映像源
１０    第１導光体
２０    第２導光体
３２，４２    反射層
１１１    第１入射面
１１２    第１全反射面
１１３    第２全反射面
２１１    第２入射面
２１２    第３全反射面
２１３    第４全反射面
【図１】
2018163252.tif 000003
【図２】
2018163252.tif 000004
【図３】
2018163252.tif 000005
【図４】
2018163252.tif 000006
【図５】
2018163252.tif 000007